(57)【要約】【課題】火災により煙が発生している状況において避難用扉の位置を明確にする。【解決手段】避難用の通路となる開口部と、開口部を閉鎖する避難用扉とを備える防火扉であって、開口部に沿って配設される複数の発光ダイオード等の発光装置を備える。発光装置は、防火扉の外部または内部に設けられた給電部から供給される電力により点灯または点滅する。給電部は、火災等の非常時に用いられる非常用電源等の外部電源から電力を取得している。また、防火扉の外部または内部に火災報知器等からの非常信号を受信する信号受信部が設けられている。給電部は、信号受信部が受信する非常信号に応じて外部電源から取得する電力を発光装置に供給する。また、発光装置の点灯や点滅を制御する制御装置が防火扉の外部または内部に設けられている。【選択図】    図１
2005342222.tif 000002
【特許請求の範囲】
【請求項１】
避難用の通路となる開口部と、前記開口部を閉鎖する避難用扉とを備える防火扉であって、
前記開口部の外周に前記開口部の外縁に沿って配設される複数の発光装置を備えることを特徴とする防火扉。
【請求項２】
請求項１に記載の防火扉であって、
前記開口部と前記防火扉が設置される床面との間に段差が設けられ、
前記発光装置が、前記段差の上端に沿って配設されていること、
を特徴とする防火扉。
【請求項３】
請求項１に記載の防火扉であって、
外部から非常信号を受信する信号受信部と、
前記信号受信部が受信する前記非常信号に応じて前記発光装置に給電する給電部と、
を備えることを特徴とする防火扉。
【請求項４】
請求項１に記載の防火扉であって、
電力を蓄えるバッテリと、
外部から非常信号を受信する信号受信部と、
前記信号受信部が受信する前記非常信号に応じて前記バッテリから前記発光装置に電力を供給する給電部と、
を備えることを特徴とする防火扉。
【請求項５】
請求項１〜４に記載の防火扉であって、
前記発光装置が発光ダイオードであることを特徴とする防火扉。
【請求項６】
請求項５に記載の防火扉であって、
前記発光ダイオードが赤色発光ダイオードであることを特徴とする防火扉。
【請求項７】
請求項１〜６に記載の防火扉であって、
前記発光装置の点灯、点滅、または消灯を制御する制御装置を備えることを特徴とする防火扉。
【請求項８】
請求項５または６に記載の防火扉であって、
複数の前記発光ダイオードには自動点滅型の発光ダイオードが含まれていることを特徴とする防火扉。
【発明の詳細な説明】
【技術分野】
【０００１】
この発明は、火災により建物内に煙が発生している状況において避難用扉の位置を明確にすることができる防火扉に関する。
【背景技術】
【０００２】
建物には、火災発生時に火災範囲の拡大および煙の流出を防ぐため、防火扉が設置されていることがある。防火扉は、通常時は通路の壁面に設けられた戸袋等に格納されており、火災発生時は通路を閉鎖するように閉じられる。
【０００３】
また、防火扉によって通路が閉鎖された後も、避難者が当該通路を通って避難することができるよう、防火扉に開口部および開口部を閉鎖する避難用扉が設けられていることがある（特許文献１、特許文献２）。
【特許文献１】特開２０００−９６９４７号公報
【特許文献２】特開２００４−５２４２０号公報
【発明の開示】
【発明が解決しようとする課題】
【０００４】
しかしながら、火災発生時には通路に煙が充満し、避難者は防火扉に設けられている避難用扉の位置を認識しづらく、避難が遅れてしまう。また、特許文献２に開示されている防火扉のように、開口部と防火扉が設置された床面との間に段差がある場合、避難者は通路に充満した煙により段差に気づきにくく、躓きやすい状況にある。
【０００５】
本発明はこのような課題に鑑みてなされたものであり、火災により建物内に煙が発生している状況において避難用扉の位置を明確にすることができる防火扉を提供することを目的とする。  
【課題を解決するための手段】
【０００６】
上記目的を達成するための本発明のうち請求項１に記載の発明は、避難用の通路となる開口部と、前記開口部を閉鎖する避難用扉とを備える防火扉であって、前記開口部の外周に前記開口部の外縁に沿って配設される複数の発光装置を備えることとする。  
火災発生時は、通路に充満した煙により避難用扉の場所を判別しにくい状況となっている。防火扉の開口部に沿って配設されている発光装置が点灯することにより、避難者は避難用扉の場所を判別しやすくなる。なお、発光装置とは、例えば、発光ダイオード、白熱電球、ハロゲン電球、キセノンランプ等である。また、発光装置を点灯させるための電源は、非常時に電力が出力される非常用電源等から供給することができる。
【０００７】
請求項２に記載の発明は、請求項１に記載の防火扉であって、前記開口部と前記防火扉が設置される床面との間に段差が設けられ、前記発光装置が、前記段差の上端に沿って配設されていることとする。  
段差の上端に沿って配設されている発光装置が点灯することにより、避難者は煙が通路に充満している状況においても、床面と開口部との段差を認識することができ、躓くことなく開口部を通過することができる。
【０００８】
請求項３に記載の発明は、請求項１に記載の防火扉であって、外部から非常信号を受信する信号受信部と、前記信号受信部が受信する前記非常信号に応じて前記発光装置に給電する給電部と、を備えることとする。  
これにより、火災報知器等による火災の検知に応じて、開口部に沿って配設されている発光装置を点灯させることができる。
【０００９】
請求項４に記載の発明は、請求項１に記載の防火扉であって、電力を蓄えるバッテリと、  外部から非常信号を受信する信号受信部と、前記信号受信部が受信する前記非常信号に応じて前記バッテリから前記発光装置に電力を供給する給電部と、を備えることとする。  
このような防火扉によれば、通常時は一般の交流電源等からバッテリに蓄電し、非常時にバッテリを用いて開口部の電球を点灯させることができる。そのため、非常用電源と接続する必要がなく、防火扉の設置工事が容易となる。また、バッテリとして蓄電機能を持つ太陽電池を用い、信号受信部が非常信号を無線で受信することとすれば、防火扉を設置する際に一切の配線工事が不要となり、防火扉設置の際の工期短縮および工費削減を図ることができる。
【００１０】
請求項５に記載の発明は、請求項１〜４に記載の防火扉であって、前記発光装置が発光ダイオードであることとする。  
発光ダイオードは白熱電球等と比較して消費電力が小さいため、外部の非常用電源や防火扉に設けられたバッテリの消費量を少なくすることができる。
【００１１】
請求項６に記載の発明は、請求項５に記載の防火扉であって、前記発光ダイオードが赤色発光ダイオードであることとする。  
赤色の波長は可視光で一番長く、煙による減衰が少ない。そのため、火災による煙が充満している状況において、他の色と比較してより遠くの位置から避難用扉の場所を認識することができる。
【００１２】
請求項７に記載の発明は、請求項１〜６に記載の防火扉であって、前記発光装置の点灯、点滅、または消灯を制御する制御装置を備えることとする。  
例えば、制御装置として点滅回路を用いることにより、発光装置を点滅させることができる。発光装置を点滅させることにより、避難者の注意を引き、避難用扉の場所をより気づき安くすることができる。
【００１３】
請求項８に記載の発明は、請求項５または６に記載の防火扉であって、複数の前記発光ダイオードには自動点滅型の発光ダイオードが含まれていることとする。  
自動点滅型の発光ダイオードを用いることにより、制御装置を用いる場合と同様に、避難者に対して避難用扉の場所をより気づかせ安くすることができる。
【発明の効果】
【００１４】
本発明によれば、火災により建物内に煙が発生している状況において避難用扉の位置を明確にすることができる防火扉を提供することができる。
【発明を実施するための最良の形態】
【００１５】
＝＝第一の実施形態＝＝
まず、本発明の実施形態の一つである第一の実施形態について説明する。図１は、第一の実施形態における防火扉１を示す図である。防火扉１は、通常時は通路の壁面２に設けられた戸袋等に格納されている。そして、火災発生等の緊急時には、火災報知器からの信号により自動で、または防火担当者等により手動で通路を塞ぐように閉じられる。このようにして防火扉１が閉じられることにより、火災範囲の拡大や煙の流出を防ぐことができる。
【００１６】
一方、防火扉１が閉じられた通路を通って避難する避難者もいる。そこで、防火扉１には、図２に示すように開口部３および開口部３を閉鎖する避難用扉４が設けられている。避難者は、ノブ５を回して避難用扉４を開けることにより、開口部３を通って避難することができる。
【００１７】
しかしながら、火災による煙が通路に充満することにより、避難者は避難用扉４がどこにあるか発見できず、逃げ遅れてしまうことがある。また、避難用扉４を発見できた場合であっても、避難用扉４と通路の床面７との間の段差に気づかずに躓いてしまうことがある。避難時は多数の避難者が避難用扉４に駆け込むため、１人の避難者が躓いて倒れることにより、後続の避難者も重なり合うように倒れ込む。そのため、逃げ遅れる避難者が多数発生するとともに、転倒や他の避難者の下敷き等による二次災害が発生する恐れもある。
【００１８】
そこで、本実施形態においては、開口部３の外周に開口部３の外縁に沿って複数の発光装置６が配設されている。発光装置６とは、例えば、発光ダイオード、白熱電球、ハロゲンランプ、キセノンランプ等の、電気的なエネルギーにより光を発するものである。なお、発光装置６は、透明な耐熱ガラスにより覆われていることとしてもよい。耐熱ガラスで覆われていることにより、火災時の熱による発光装置６の損壊を防ぐことができる。
【００１９】
そして、壁面２には、信号受信部８、給電部９、および制御装置１０が設置されている。信号受信部８は、火災報知器１１等から有線または無線で送信される非常信号を受信する装置である。給電部９は、発光装置６に電力を供給する装置である。給電部９は、信号受信部８が火災報知器１１から受信した非常信号に応じて、外部電源１２から取得した電力を発光装置６に供給する。制御装置１０は、発光装置６の点灯、点滅、または消灯を制御する装置であり、例えば点滅回路である。外部電源１２は、火災等の非常時に建物内に設置された非常用照明等に電力を供給する電源装置である。なお、信号受信部８、給電部９、及び制御装置１０は壁面２に設置されていることとしたが、防火扉１に備えられていることとしてもよい。
【００２０】
これにより、火災報知器１１が火災を検知して非常信号を送信すると、防火扉１の非常用扉４の周囲に配設された発光装置６が点灯する。また、制御装置１０により発光装置６を点滅させることも可能である。発光装置６が点灯することにより、火災による煙が通路に充満している場合であっても、避難者は容易に避難用扉４を発見することができる。また、発光装置６は開口部３と床面７との段差の上端にも配設されているため、避難者は段差に気づき、躓くことなく避難することができる。また、発光装置６を点滅させることにより、火災により気が動転している避難者の注意を引きつけ、避難者に避難用扉４の位置を認識させることができる。さらに、点滅時は点灯時と比較して消費電力が小さいため、外部電源１２の消費を少なくし、発光装置６をより長い時間点滅させ続けることができる。このように、煙が充満している状況において発光装置４を点灯または点滅させることにより、避難者に避難用扉４の位置を容易に認識させることができる。そのため、避難者の逃げ遅れや躓き等による二次災害の発生を防止することができる。
【００２１】
なお、発光装置６として発光ダイオードを用いることにより、白熱電球等と比較して消費電力を小さくすることができる。また、発光ダイオードは耐衝撃性に優れており、重い防火扉１を閉じた際の衝撃による発光装置６の損壊を防ぐことができる。そして、発光ダイオードとして赤色発光ダイオードを用いることにより、より遠くの場所から避難用扉４の位置を認識できるようになる。赤色は可視光の中で一番波長が長く、煙等による減衰が少ないためである。また、制御装置１０を用いずに、発光装置６として自動点滅型の発光ダイオードを用いることとしてもよい。自動点滅型の発光ダイオードは、点滅用の回路が内蔵された発光ダイオードであり、電力が供給されると所定の間隔で点滅する。
【００２２】
＝＝第二の実施形態＝＝
次に、本発明の実施形態の一つである第二の実施形態について説明する。図３は、第二の実施形態における防火扉１を示す図である。開口部３、避難用扉４、発光装置６については、第一の実施形態と同様である。
【００２３】
防火扉１は、信号受信部８、給電部９、バッテリ１３を備えている。信号受信部８および給電部９は、第一の実施形態と同様である。バッテリ１３は、例えば、蓄電池や蓄電機能を持つ太陽電池等である。
【００２４】
このような防火扉１において、信号受信部８が火災報知器１１等から受信する非常信号に応じて、給電部９がバッテリ１３に蓄えられている電力を発光装置６に供給することにより、発光装置６を点灯させることができる。
【００２５】
これにより、第一の実施形態の場合と同様に、火災による煙が通路に充満している場合であっても、避難者は容易に避難用扉４を発見することができる。また、発光装置６は開口部３と床面７との段差の上端にも配設されているため、避難者は段差に気づくことができ、躓くことなく避難することができる。
【００２６】
また、発光装置６として自動点滅型の発光ダイオードを用いることにより、発光装置６を点滅させることができる。また、防火扉１は、第一の実施形態で説明した制御装置１０を備えることとしてもよい。
【００２７】
バッテリ１３が蓄電池の場合、バッテリ１３は壁面２等に設けられている一般交流電源のコンセント等に接続され、電力を蓄えている。バッテリ１３として一般交流電源から電力を取得する蓄電池を用いることにより、防火扉１を設置する際に、非常用電源等と接続するための特殊な配線工事や穴開け工事等が不要となる。
【００２８】
また、バッテリ１３が蓄電機能を持つ太陽電池の場合、バッテリ１３は建物内に設置されている蛍光灯等から発せられる光を受けることにより、電力を蓄えている。この場合、バッテリ１３は、防火扉１が壁面２等に格納されている際においても蛍光灯等の光を受けることができる位置に配設されている。さらに、信号受信部８が火災報知器１１等からの非常信号を無線で受信することとすれば、防火扉１を設置する際に、外部電源や火災報知器等との配線が一切不要である。そのため、壁面２にコンセントが設けられていない場所であっても、配線工事を行うことなく防火扉１を設置することができる。そのため、建物に防火扉１を設置する際の工程が簡略化され、工期の短縮および工費の削減を実現することができる。
【００２９】
また、発光装置６、信号受信部８、給電部９、バッテリ１３を耐熱ガラスで覆うことにより、火災の熱による損壊を防ぐことができる。耐熱ガラスは光を透過するため、バッテリ１３として蓄電機能を持つ太陽電池を用いることも可能である。
【００３０】
以上本発明の実施形態について説明したが、以上の実施形態の説明は本発明の理解を容易にするためのものであり、本発明を限定するものではない。本発明はその趣旨を逸脱することなく、変更、改良され得ると共に本発明にはその等価物が含まれることは勿論である。
【図面の簡単な説明】
【００３１】
【図１】本発明の第一の実施形態における防火扉を示す図である。
【図２】防火扉の開口部を示す図である。
【図３】本発明の第二の実施形態における防火扉を示す図である。
【符号の説明】
【００３２】
１  防火扉
２  壁面
３  開口部
４  避難用扉
５  ノブ
６  発光装置
７  床面
８  信号受信部
９  給電部
１０  制御装置
１１  火災報知器
１２  外部電源
１３  バッテリ
【図１】
2005342222.tif 000003
【図２】
2005342222.tif 000004
【図３】
2005342222.tif 000005